(57)【要約】【課題】  建物の立地環境に拘わらず建物内を確実に換気することができる建物の換気構造を提供する。【解決手段】  建物の床下空間３４に、外気を取り入れて冷却し、冷却した外気を住宅１１の各階の各室１７，１８，２８，２９，３０の各床１７ｃ，１８ｃ，２８ｃ，２９ｃ，３０ｃに形成された各供給口２３から各室１７，１８，２８，２９，３０内に供給するための空調装置３３を設ける。【選択図】  図１
2005350890.tif 000002
【特許請求の範囲】
【請求項１】
建物の上部に開閉可能に設けられる天窓と、前記建物内に前記天窓より下方且つ前記建
物の室の床より上方に配置され、外気を前記室内に取り入れるための通気窓と、前記建物
の床下空間に設けられる空調装置とを備え、前記室内の空気は、前記天窓を経て外気に放
出可能であり、前記空調装置は、外気を取り入れて冷却し、冷却した外気を前記室の前記
床に形成された供給口から前記室内に供給可能であることを特徴とする建物の換気構造。
【請求項２】
建物の上部に開閉可能に設けられる天窓と、前記建物内に前記天窓より下方且つ前記建
物の室の床より上方に配置され、外気を前記室内に取り入れるための通気窓と、前記建物
の床下空間に設けられる空調装置とを備え、前記室内の空気は、前記天窓を経て外気に放
出可能であり、前記空調装置は、前記建物内の前記室とは異なる空間の床に形成された取
入口から前記空間内の空気を取り入れて冷却し、冷却した空気を前記室の前記床に形成さ
れた供給口から前記室内に供給可能であることを特徴とする建物の換気構造。
【請求項３】
前記建物内には、前記室内に上向きの気流を生じさせるためのファンが前記天窓の下方
且つ前記通気窓の上方で設けられていることを特徴とする請求項１乃至２に記載の建物の
換気構造。
【発明の詳細な説明】
【技術分野】
【０００１】
本発明は、建物内を換気するための天窓を備える建物の換気構造に関する。
【背景技術】
【０００２】
従来、建物の換気構造として、建物の屋根に開閉可能に設けられた天窓と、建物の室の
壁に設けられ、外気を室内に取り入れるための例えば地窓のような通風窓とを備える建物
の換気構造が知られている（例えば、特許文献１参照。）。
【０００３】
この換気構造によれば、天窓を開けると、地窓から室内に流入してくる外気により、室
内に該室内の空気を天窓から建物の外へ送り出す空気の流れが生じる。これにより、室内
を換気することができる。
【特許文献１】特開平１０−２６６５９３号公報（第２−５項、第１図）
【発明の開示】
【発明が解決しようとする課題】
【０００４】
しかしながら、従来の換気構造では、地窓のような通風窓から室内に流入してくる風を
利用する自然換気を行っていることから、例えば建物が密集した場所では、建物と建物と
の間を風が通り抜け難いため、外気が通風窓から室内に流入し難くなってしまい、室内を
十分に換気することができなくなる。
【０００５】
本発明の目的は、建物の立地環境に拘わらず室内を確実に換気することができる建物の
換気構造を提供することにある。
【課題を解決するための手段】
【０００６】
上記課題を解決するために、本発明は、建物の上部に開閉可能に設けられる天窓と、前
記建物内に前記天窓より下方且つ前記建物の室の床より上方に配置され、外気を前記室内
に取り入れるための通気窓と、前記建物の床下空間に設けられる空調装置とを備え、前記
空調装置は、冷却した空気を前記室の前記床に形成された供給口から前記室内に供給可能
であることを特徴とする。
【０００７】
上記の構成では、床下空間に設けられた空調装置により、建物の室の床に形成された供
給口から室内に空気が供給されることから、建物がその通風窓から室内に外気を取り入れ
難い場所に建てられている場合でも、天窓を開ければ、空調装置により室内に供給された
外気によって室内に該室内の空気を天窓から屋外へ送り出す空気の流れを生じさせること
ができる。従って、建物の立地環境に拘わらず建物の室内を確実に換気することができる
。
【０００８】
室内を冷却するための空調装置が建物の室の上部に設けられている場合、前記空調装置
から室内に送り出される冷気は、室内の床近傍の熱を奪う前に、室内に生じた上昇気流に
よって天窓から排出されてしまう虞がある。
【０００９】
これに対し、本発明によれば、床下空間に設けられた空調装置により冷却された空気が
室内に該室の床に形成された供給口から供給されることから、室内に供給された冷気は室
内の床近傍の熱を奪った後に天窓から排出される。これにより、通気窓から外気が流入し
難い場合でも、室内の全体の熱を天窓から排出することができるため、室内を効果的に冷
却することができる。
【００１０】
従って、本発明を多層階建物に適用した場合、空調装置により冷却された空気を最上階
の室内に該室の床の供給口から供給することにより、最上階の室内にこもった熱を天窓か
ら確実に排出し、室内を効果的に冷却することができる。これにより、特に最上階の室内
に熱がこもり易い春から秋にかけて、室内にこもった熱による室温の上昇を確実に防止す
ることができる。
【００１１】
空気を室内に供給するための空調装置に、外気を取り入れることができる。この場合、
外気温度が室温よりも冷たい夜間では、室内を冷却するために空調装置とは別の空調機を
作動させる必要がなくなる。これにより、電力の省エネルギー化を図ることができる。
【００１２】
また、建物内の室と異なる空間内の空気を該空間の床に形成された取入口から空調装置
に取り入れることができる。この場合、建物が例えば道路際のように空気が比較的汚れた
場所に建てられている場合でも、外気に比べて清浄な空気を室内に供給することができる
。
【００１３】
更に、建物内に、天窓からの室内の空気の排出を促進するためのファンを設けることが
できる。これにより、室内に該室内の空気を天窓から屋外へ送り出す空気の流れを容易に
生じさせることができるため、建物の立地環境に拘わらず室内をより確実に換気すること
ができる。
【発明の効果】
【００１４】
天窓を開ければ、建物の床下空間に設けられた空調装置によって室内に供給された空気
により室内に該室内の空気を天窓から屋外へ送り出す空気の流れを生じさせることができ
るため、建物の立地環境に拘わらず建物の室内を確実に換気することができる。また、室
内にその床に形成された供給口から供給された冷気は、室内の床近傍の熱を奪った後に天
窓から排出されるため、室内の全体の熱を天窓から排出することができる。これにより、
室内を効果的に冷却することができる。
【発明を実施するための最良の形態】
【００１５】
本発明を図示の実施例に沿って説明する。
【実施例】
【００１６】
＜実施例１＞
本実施例では、本発明に係る建物の換気構造を二階建ての住宅に用いた例を示す。
【００１７】
本発明に係る建物の換気構造１０は、図１に示すように、住宅１１の屋根１２に設けら
れた開閉可能な天窓１３を備える。
【００１８】
天窓１３は、後述する階段ホール１４の上方に配置されている。天窓１３は、図示の例
では、平面が矩形状をなしており、その両端１３ａで屋根１２に形成された開口１５の縁
部から上方へ立ち上がる支持枠１６の上端１６ａに住宅１１の上下方向に移動可能に支持
されている。天窓１３が住宅１１の上方へ移動したとき、天窓１３と支持枠１６の上端１
６ａとの間には、全周に亘って開口１３ｂが形成される。天窓１３は、その最大開度位置
でその両端１３ａと支持枠１６の上端１６ａとの間隔が１０ｃｍ以上空くように設定され
ている。天窓１３の両端１３ａと支持枠１６の上端１６ａとの間隔が１０ｃｍ未満の場合
、住宅１１内からの通風を確保することが困難になってしまうが、本発明では、前記した
ように、天窓１３の両端１３ａと支持枠１６の上端１６ａとの間隔が１０ｃｍ以上空いて
いることから、住宅１１内からの通風を確保することができる。
【００１９】
屋根１２に形成された開口１５は、矩形状をなしており、その大きさは住宅１１の述べ
床面積が５０〜１５０ｍ２の場合、５００ｃｍ２以上に設定されている。支持枠１６の伸
長方向の長さは、屋根１２の上面１２ａからの天窓１３の高さが５ｃｍ以上になるように
設定されている。天窓１３の屋根１２の上面１２ａからの高さが５ｃｍ未満の場合、防水
のための図示しない水切りを天窓１３に設けることが困難になり、また、屋根１２の上面
１２ａで気流剥離の問題が生じる虞があるが、本発明では、前記したように、天窓１３の
屋根１２の上面１２ａからの高さが５ｃｍ以上であることから、天窓１３に前記水切りを
設けることができ、また、気流剥離の問題が生じることを防止することができる。
【００２０】
天窓１３の真下には、住宅１１内に上向きの気流を生じさせるためのファン２０が設け
られている。
【００２１】
住宅１１の一階には、図２（ａ）に示すように、その南西側の隅部に和室１７が設けら
れており、東側にリビングダイニング１８が設けられている。これら一階の室である和室
１７及びリビングダイニング１８の各南側の壁１７ａ，１８ａには開閉可能な窓１９がそ
れぞれ設けられている。各窓１９には、該各窓を住宅１１の外側から覆う遮熱スクリーン
２１が設けられている。遮熱スクリーン２１は、従来よく知られているように、室内に侵
入してくる日射及び紫外線を遮蔽するためのフィルム状の遮蔽部材である。この遮熱スク
リーン２１の遮蔽機能により、室内への日射による室温の上昇を防止することができる。
【００２２】
和室１７の西側の壁１７ｂ及びリビングダイニング１８の東側の壁１８ｂには、一階の
各室１７，１８内に外気を取り入れるための従来よく知られた開閉可能な地窓２２がそれ
ぞれの床１７ｃ，１８ｃの近傍（図１参照。）で設けられている。各地窓２２の大きさは
、０．１ｍ２以上に設定されている。各地窓２２の大きさが０．１ｍ２未満である場合、
各地窓２２から一階の各室１７，１８内に外気を十分に取り入れることができないが、本
発明では、各地窓２２の大きさが０．１ｍ２以上に設定されていることから、一階の各室
１７，１８内に外気を十分に取り入れることができる。
【００２３】
和室１７及びリビングダイニング１８の各床１７ｃ，１８ｃには、後述する空調装置３
３から送られてくる外気を一階の各室１７，１８内に供給するための供給口２３がそれぞ
れの南側の壁１７ａ，１８ａの近傍で形成されている。
【００２４】
和室１７とリビングダイニング１８との間には、玄関ホール２６が設けられている。和
室１７の東側の壁１７ｄ及びリビングダイニング１８の西側の壁１８ｄの上部には、それ
ぞれ各室１７，１８と玄関ホール２６とを連通可能な従来よく知られたランマドア２５が
開閉可能に設けられている。
【００２５】
玄関ホール２６の北側には、該玄関ホールに連なる前記した階段ホール１４が設けられ
ている。階段ホール１４は、図示の例では、一階から二階に吹き抜けた従来よく知られた
吹き抜けになっている。これにより、一階と二階との間の通風を確保することができる。
また、階段ホール１４内における屋根１２には、前記したように、天窓１３が設けられて
いることから、天窓１３から階段ホール１４内に採光することができる。階段ホール１４
内には、一階と二階との間を昇降するための階段２７（図１参照。）が設けられている。
【００２６】
住宅１１の二階には、図２（ｂ）に示すように、その南西側及び南東側の各隅部にそれ
ぞれ第一の居室２８及び第二の居室２９が設けられている。更に、第一及び第二の居室２
８，２９の間には、階段ホール１４の南側に位置する第三の居室３０が設けられている。
【００２７】
これら二階の室である各居室２８，２９，３０のそれぞれの南側の壁２８ａ，２９ａ，
３０ａには開閉可能な窓３１が設けられている。第一及び第二の居室２８，２９に設けら
れた各窓３１には、前記したと同様の遮熱スクリーン２１が設けられている。第三の居室
３０の南側の壁３０ａに設けられた窓３１には、該窓を覆う図示しない通風シャッターが
設けられている。前記通風シャッターは、従来よく知られているように、風の通過を許す
開閉可能な通気孔が形成されたシャッターである。また、第一の居室２８の西側の壁２８
ｂ及び第二の居室２９の東側の壁２９ｂには、それぞれ前記したと同様の地窓２２が各居
室２８，２９の各床２８ｃ、２９ｃの近傍で設けられている。
【００２８】
第一、第二及び第三の全居室２８，２９，３０の階段ホール１４に面する各壁２８ｄ，
２９ｄ，３０ｂの上部には、それぞれ各居室２８，２９，３０と階段ホール１４とを連通
可能な前記したと同様のランマドア２５が開閉可能に設けられている。
【００２９】
各居室２８，２９，３０の各床２８ｃ，２９ｃ，３０ｃには、後述する空調装置３３か
ら送られてくる外気を各居室２８，２９，３０内に供給するための供給口２３がそれぞれ
の南側の壁２８ａ，２９ａ，３０ａの近傍で形成されている。
【００３０】
一階の各室１７，１８内と二階の各室２８，２９，３０内とを換気する際、天窓１３を
開けた状態で一階の各室１７，１８の各地窓２２及び各ランマドア２５を開けると、図２
（ａ）に矢印Ａ及びＢで示すように、一階の各室１７，１８内に各地窓２２からそれぞれ
外気が従来と同様に流入する。一階の各室１７，１８内に流入した外気は、それぞれ各ラ
ンマドア２５を経て玄関ホール２６に流出する。一階の各室１７，１８から玄関ホール２
６内に流出した外気は、該玄関ホール内で互いに合流し、階段ホール１４内へ流れ、該階
段ホール内を二階へ上昇する。
【００３１】
また、天窓１３を開けた状態で、二階の第一及び第二の居室２８，２９の各地窓２２と
、第三の居室３０の前記通風シャッターの通気孔と、各居室２８，２９，３０の各ランマ
ドア２５とを開けると、図２（ｂ）に矢印Ｄ、Ｅ及びＦで示すように、外気が従来と同様
に各地窓２２及び前記通気孔から各居室２８，２９，３０内に流入する。各居室２８，２
９，３０内に流入した外気は、該各居室の各ランマドア２５を経て階段ホール１４内に流
出する。各居室２８，２９，３０から階段ホール１４内に流出した外気は、階段ホール１
４内を一階から上昇してきた外気と合流し、天窓１３から住宅１１の外方へ流出する。こ
れにより、各階の各室１７，１８，２８，２９，３０内が換気される。
【００３２】
更に、本発明に係る建物の換気構造１０は、各地窓２２及び前記通風シャッターの通気
孔から各階の各室１７，１８，２８，２９，３０内に外気が十分に流入しない場合、該各
室内の各床１７ｃ，１８ｃ，２８ｃ，２９ｃ，３０ｃに形成された各供給口２３から各室
１７，１８，２８，２９，３０内に外気を供給するための前記した空調装置３３を備える
。
【００３３】
空調装置３３は、図１に示すように、住宅１１の床下空間３４内に設けられた冷却機３
５及び送風機３６と、屋外に設けられ、冷却機３５に冷媒を送るための室外機３７とを備
える。
【００３４】
冷却機３５には、床下空間３４を規定するコンクリート基礎３８に形成された開口３８
ａで一端３９ａが屋外へ開放する取入管３９の他端３９ｂが接続されている。また、冷却
機３５には、一端４０ａが室外機３７に接続された冷媒管４０の他端４０ｂが接続されて
いる。冷却機３５は、取入管３９を介して外気を吸引し、吸引した外気を室外機３７から
冷媒管４０を介して送られてくる冷媒で冷却する。冷却機３５での外気の冷却温度は、所
望の値に設定することができる。冷却機３５は、該冷却機で冷却した外気を送風機３６に
送る。
【００３５】
送風機３６には、図２（ａ）に示すように、該送風機から放出される外気を一階の各室
１７，１８へ案内するための一対の送風管４１の各一端４１ａがそれぞれ接続されている
。
【００３６】
各送風管４１は、それぞれ床下空間３４内を伸びており、その各他端４１ｂは、一階の
各室１７，１８の各床に形成された各供給口２３で和室１７内及びリビングダイニング１
８内にそれぞれ開放している。
【００３７】
各送風管４１には、図１に示すように、該各送風管から分岐する分岐管４２ａ，４２ｂ
がそれぞれ接続されている。外気を和室１７に案内する送風管４１から分岐する第一の分
岐管４２ａは、和室１７の東側の壁１７ｂの内部を上方へ伸び、二階の第一の居室２８の
床２８ｃの内部を伸びている。第一の分岐管４２ａの先端４３は、第一の居室２８の床２
８ｃに形成された供給口２３で第一の居室２８内に開放している。また、外気をリビング
ダイニング１８に案内する送風管４１から分岐する第二の分岐管４２ｂは、リビングダイ
ニング１８の西側の壁１８ｄの内部を上方へ伸び、図２（ｂ）に示すように、更に二つの
管４４ａ，４４ｂに分岐している。第二の分岐管４２ｂから分岐した各管４４ａ，４４ｂ
は、それぞれ二階の第二及び第三の居室２９，３０の各床２９ｃ，３０ｃの内部を伸びて
おり、その各先端４５ａ，４５ｂは、それぞれ第二及び第三の居室２９，３０の各床２９
ｃ，３０ｃに形成された供給口２３で第二及び第三の居室２９，３０内に開放している。
【００３８】
送風機３６は、冷却機３５から送られてきた外気を各送風管４１及び該各送風管から分
岐する第一及び第二の両分岐管４２ａ，４２ｂを介して各階の各室１７，１８，２８，２
９，３０内に送る。
【００３９】
空調装置３３の一時間あたりの作動回数は、外気温度及び冷却機３５の設定温度を用い
て次式から求めることができる。
【００４０】
作動回数≧８／（外気温度−冷却機の設定温度）
すなわち、吸引した外気を例えば外気温度より２℃低く冷却するように冷却機３５を設
定した場合、空調装置３３を一時間に作動させる回数は４回以上である。
【００４１】
各階の各室１７，１８，２８，２９，３０に形成された供給口２３から各室１７，１８
，２８，２９，３０内に送られた外気は、天窓１３及び各室１７，１８，２８，２９，３
０に設けられた各ランマドア２５がそれぞれ開いている状態では、各地窓２２及び前記通
風シャッターの通気孔から各室１７，１８，２８，２９，３０内にそれぞれ外気が流入し
たときと同様に、各室１７，１８，２８，２９，３０内から各ランマドア２５を経て階段
ホール１４内に流入し、天窓１３から屋外へ流出する。このとき、天窓１３の下方に設け
られたファン２０を作動させることにより、各室１７，１８，２８，２９，３０内に供給
された外気を天窓１３から屋外へ送り出す空気の流れをより容易に生じさせることができ
る。
【００４２】
本実施例によれば、前記したように、床下空間３４に設けられた空調装置３３により、
外気が各階の各室１７，１８，２８，２９，３０の各床１７ｃ，１８ｃ，２８ｃ，２９ｃ
，３０ｃに形成された各供給口２３から各室１７，１８，２８，２９，３０内に供給され
る。これにより、各地窓２２及び前記通風シャッターの通気孔から各室１７，１８，２８
，２９，３０内に外気を取り入れ難い場所に建物が建てられている場合でも、天窓１３を
開ければ、空調装置３３により各室１７，１８，２８，２９，３０内に供給された外気に
よって該各室内に該各室内の空気を天窓１３から屋外へ送り出す空気の流れを生じさせる
ことができる。従って、住宅１１の立地環境に拘わらず住宅１１の各室１７，１８，２８
，２９，３０内を確実に換気することができる。
【００４３】
室内を冷却するための空調装置が建物の室の上部に設けられている場合、前記空調装置
から送り出される冷気は、室内に生じた上昇気流によって、室内の床近傍の熱を奪う前に
天窓から排出されてしまう虞がある。
【００４４】
これに対し、本発明によれば、前記したように、空調装置３３により冷却された空気が
各階の各室１７，１８，２８，２９，３０の床１７ｃ，１８ｃ，２８ｃ，２９ｃ，３０ｃ
に形成された供給口２３から各室１７，１８，２８，２９，３０内に供給されることから
、該各室内に供給された冷気は該各室内の床１７ｃ，１８ｃ，２８ｃ，２９ｃ，３０ｃ近
傍の熱を奪った後に天窓１３から排出される。これにより、各地窓２２及び前記通風シャ
ッターの通気孔から各室１７，１８，２８，２９，３０内に外気が流入し難い場合でも、
該各室内の全体の熱を天窓１３から排出することができるため、室１７，１８，２８，２
９，３０内を効果的に冷却することができる。
【００４５】
従って、空調装置３３によって冷却された外気が二階の各居室２８，２９，３０の各床
２８ｃ，２９ｃ，３０ｃに形成された各供給口２３から各室２８，２９，３０内に供給さ
れることから、該各室内にこもった熱を天窓１３から確実に排出し、各室２８，２９，３
０内を冷却することができる。これにより、二階の各室２８，２９，３０内にこもった熱
による従来のような該各室の温度の上昇を確実に防止することができる。
【００４６】
更に、前記したように、空調装置３３により各階の各室１７，１８，２８，２９，３０
内に外気が供給されることから、外気が各階の各室１７，１８，２８，２９，３０内の空
気よりも冷たくなる夜間では、吸引した外気を冷却機３５で冷却することなく、各階の各
室１７，１８，２８，２９，３０内を冷却することができる。これにより、空調装置３３
とは別に各階の各室１７，１８，２８，２９，３０内を冷却するための空調機を作動させ
る必要がなくなる。これにより、電力の省エネルギー化を図ることができる。
【００４７】
また、前記したように、天窓１３の真下に、該天窓からの各室１７，１８，２８，２９
，３０内の空気の排出を促進するためのファン２０が設けられていることから、各室１７
，１８，２８，２９，３０内に供給された外気を天窓１３から屋外へ送り出す空気の流れ
をより確実に生じさせることができる。これにより、住宅１１の立地環境に拘わらず室１
７，１８，２８，２９，３０内をより確実に換気することができる。
【００４８】
また、前記したように、天窓１３が住宅１１の上下方向に移動可能に設けられており、
天窓１３が住宅１１の上方へ移動したとき、天窓１３と支持枠１６の上端１６ａとの間に
は全周に亘って開口１３ｂが形成されることから、風があるときは、風向きに関係なく天
窓１３から各室１７，１８，２８，２９，３０内の空気を吸い出す吸引効果を確実に発揮
させることができる。これにより、天窓１３からの各室１７，１８，２８，２９，３０内
の熱の排出効率を確実に高めることができる。
【００４９】
＜実施例２＞
実施例１では、取入管３９の一端３９ａが住宅１１の床下空間３４を規定するコンクリ
ート基礎３８に形成された開口３８ａで屋外へ開放する例を示したが、これに代えて、図
３に示すように、階段ホール１４の床１４ａに開口４６を形成し、取入管３９の一端３９
ａを開口４６で階段ホール１４内に開放させることができる。
【００５０】
この場合、空調装置３３は、その冷却機３５で取入管３９を介して階段ホール１４内の
空気を取り入れて冷却し、冷却機３５で冷却した空気を送風機３６で各階の各室１７，１
８，２８，２９，３０内に供給する。
【００５１】
これにより、住宅１１内に設けられた階段ホール１４内の空気が各室１７，１８，２８
，２９，３０内に供給されることから、住宅１１が例えば道路際のように空気が比較的汚
れた場所に建てられている場合でも、外気に比べて清浄な空気を各室１７，１８，２８，
２９，３０内に供給することができる。
【００５２】
図３に示す実施例２では、開口４６すなわち取入口４６が階段ホール１４の床１４ａに
形成された例を示したが、これに代えて、住宅１１内の一階の和室１７及びリビングダイ
ニング１８や二階の各居室２８，２９，３０以外の比較的空気が冷えている空間の床に取
入口４６を形成することができる。
【００５３】
また、前記したところでは、天窓１３が住宅１１の上下方向に移動可能である例を示し
たが、これに代えて、例えば天窓１３がその両縁部のそれぞれの中心に設けられた回転軸
を中心に回転可能に軸支された回転式の天窓や、片開き式の天窓を用いることができる。
上下方向に開閉可能な天窓を用いた場合、該天窓にファン２０を設けることができる。ま
た、天窓１３が、階段ホール１４の上方に設けられた例を示したが、これに代えて、天窓
１３を例えば室内における屋根１２に設けることができる。
【００５４】
更に、一階の各室１７，１８と、二階の第一及び第二の居室２８，２９との南側の各窓
１９，３１に、それぞれ遮熱スクリーン２１が設けられた例を示したが、これに代えて、
各窓１９，３１の外側に庇をそれぞれ設けることができる。これにより、外からの日差し
を遮ることができる。また、二階の第三の居室３０の南側の窓３１に前記通風シャッター
が設けられた例を示したが、これに代えて、固定式又は可動式の通風機能を有するガラリ
を用いることができる。
【００５５】
本実施例では、本発明を二階建ての住宅に用いた例を示したが、これに代えて、平屋や
三階以上の多層階住宅、又は住宅以外の建物に本発明を用いることができる。
【図面の簡単な説明】
【００５６】
【図１】本発明に係る建物の換気構造が適用された住宅を概略的に示す縦断面図である。
【図２】（ａ）は、本発明に係る建物の換気構造が適用された住宅の一階を概略的に示す平面図であり、（ｂ）は、二階を概略的に示す平面図である。
【図３】階段ホールの床に階段ホール内の空気を空調装置内に取り入れるための取入口を形成し、取入管の一端を取入口に接続した住宅を概略的に示す縦断面図である。
【符号の説明】
【００５７】
１１  建物（住宅）
１２  上部（屋根）
１３  天窓
１７，１８，２８，２９，３０  室（和室、リビングダイニング、第一の居室、第二の
居室及び第三の居室）
１７ｃ，１８ｃ，２８ｃ，２９ｃ，３０ｃ  床（和室、リビングダイニング、第一の居
室、第二の居室及び第三の居室の各床）
２２  通気窓（地窓）
３４  床下空間
３３  空調装置
２３  供給口
１４  空間（階段ホール）
１４ａ  床（階段ホールの床）
４６  取入口（開口）
２０  ファン
【図１】
2005350890.tif 000003
【図２】
2005350890.tif 000004
【図３】
2005350890.tif 000005